Podtech/llm-jp-corpus-v4-ja_patent huggingface dataset:
【手続補正書】
【提出日】平成24年8月14日(2012.8.14)
【手続補正１】
【補正対象書類名】特許請求の範囲
【補正対象項目名】全文
【補正方法】変更
【補正の内容】
【特許請求の範囲】
【請求項１】
高温ナフテン酸酸腐食を防止する新規添加物であり、
低リン含有、高温安定性及び低酸価のポリマー性チオリン酸エステルであり、ヒドロキシル末端ポリイソブチレン又はポリブテンコハク酸エステルと、５硫化２リンとの反応で得られるポリマー性のチオリン酸エステル、を含む添加物。
【請求項２】
前記ポリマー性チオリン酸エステルがさらに、エチレンオキシドと反応して、前記ポリマー性チオリン酸エステルのエチレンオキシド誘導体を形成する、請求項１に記載された新規添加物。
【請求項３】
前記ポリマー性のチオリン酸エステルがさらに、ブチレンオキシドおよびプロピレンオキシドからなる群から選択されるオキシドと反応して、前記ポリマー性チオリン酸エステルのオキシド誘導体を形成する、請求項１に記載された新規添加物。
【請求項４】
前記ポリマー性化合物が、４０から２０００の炭素数を含む、請求項１乃至３のいずれか１項に記載の新規添加物。
【請求項５】
前記ポリマー性化合物が、５００から１００００ドルトン、好ましくは８００から１６００ドルトン、より好ましくは９５０から１３００ドルトンの分子量である、請求項１乃至４のいずれか１項に記載の新規添加物。
【請求項６】
前記５硫化２リンと前記ヒドロキシル末端ポリイソブチレン又はポリイソブテンコハク酸エステルとのモル比が、０．０１：１モルから４：１モル変化する、請求項１乃至５のいずれか１項に記載の新規添加物。
【請求項７】
前記添加物の有効投与量が、１ｐｐｍから２０００ｐｐｍ、好ましくは２ｐｐｍから２００ｐｐｍである、請求項１乃至６のいずれか１項に記載の新規添加物。
【請求項８】
高温ナフテン酸酸腐食防止のための新規添加物の製造方法であり、
前記添加物が低リン含有、高温安定性及び低酸価のポリマー性ヒドロキシル末端ポリイソブチレンチオリン酸エステルを含み、前記方法が次のステップ：
（ａ）高反応性ポリイソブチレンと無水マレイン酸を反応させてポリイソブチレンコハク酸無水物を形成するステップ、
（ｂ）前記ステップ（ａ）のポリイソブチレンコハク酸無水物と、グリコール又はポリオール又はポリマー性のアルコール、好ましくはプロピレングリコール、ブタンジオール、ブチレングリコール、ブテンジオール、グリセリン、トリメチルプロパン、ポリエチレングリコール、ポリプロピレングリコール、ポリテトラメチレングリコール、より好ましくはエチレングリコールと反応させて、ヒドロキシル末端ポリイソブテニルコハク酸エステルを形成するステップ、
（ｃ）前記ステップ（ｂ）で得られる化合物を、５硫化２リンと、前記ヒドロキシル末端ポリイソブテニルコハク酸エステルと５硫化２リンと種々のモル比で反応させ、高温ナフテン酸腐食防止添加物である、ポリイソブチレンコハク酸エステルのチオリン酸エステルを形成するステップ、を含む。
【請求項９】
請求項８に記載の方法であり、前記添加物が、低リン含有、高温安定性及び低酸価のポリイソブチレンチオリン酸エステルのポリマー性エチレンオキシド処理誘導体を含み、
次のステップ：
（ａ）高反応性ポリイソブチレンとマレイン酸無水物を反応させてポリイソブチレンコハク酸無水物とし；
（ｂ）前記ステップ（ａ）のポリイソブチレンコハク酸無水物と、グリコール又はポリオール又はポリマー性アルコールから選択される化合物、好ましくはプロピレングリコール、ブタンジオール、ブチレングリコール、ブテンジオール、グリセリン、トリメチルプロパン、ポリエチレングリコール、ポリプロピレングリコール、ポリテトラメチレングリコール、より好ましくはエチレングリコールと反応させて、ヒドロキシル末端ポリイソブテニルコハク酸エステルとし；
（ｃ）ステップ（ｂ）の生成物を５硫化２リンと、前記ヒドロキシル末端ポリイソブテニルコハク酸エステルと５硫化２リンと種々のモル比で反応させてポリイソブチレンコハク酸エステルのチオリン酸エステルを形成し；
（ｄ）ステップ（ｃ）の生成物をエチレンオキシドと反応させて、高温ナフテン酸腐食防止添加物である、ポリイソブチレンチオリン酸エステルのエチレンオキシド誘導体を形成するステップ、を含むプロセスにより製造される、方法。
【請求項１０】
前記ステップ（ｃ）の前記生成物を、ブチレンオキシド及びプロピレンオキシドからなる群から選択されるオキシドと反応させて、前記ポリマー性チオリン酸エステルのオキシド誘導体を形成する、請求項８に記載の方法。
【請求項１１】
高温ナフテン酸腐食を防止するために新規添加物を使用する方法で、
以下のステップを含む：
ａ  ナフテン酸を含む炭化水素を加熱して前記炭化水素の一部を蒸発させるステップ、
ｂ  前記炭化水素蒸気を蒸留塔に導き上昇させるステップ、
ｃ  前記炭化水素蒸気を、蒸留塔を通して凝縮させて蒸留物を生成するステップ、
ｄ  前記蒸留物に、１から２０００ｐｐｍ、好ましくは２から２００ｐｐｍの請求項１に記載のポリイソブチレンチオリン酸エステル又は請求項２に記載のポリマー性チオリン酸エステルのエチレンオキシド処理化合物、又請求項３に記載のポリマー性チオリン酸エステルのオキシド処理化合物を添加するステップ、
ｅ  ステップｄで得られる混合物を、前記蒸留塔の実質的に全金属表面と接触させて、前記表面に保護膜を形成させて前記表面を腐食防止性とするステップ、を含む。
【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
ヒトニューロピリン-2を発現する腫瘍細胞へのその結合が、該腫瘍細胞のアポトーシスを誘導することを特徴とする抗ヒトニューロピリン-2抗体。
【請求項２】
i) それぞれ配列番号２及び配列番号４の配列で規定される、ITAC-B1抗体の重鎖の可変ドメインと軽鎖の可変ドメインとを含む抗体；
ii) それぞれ配列番号６及び配列番号８の配列で規定される、ITAC-B2抗体の重鎖の可変ドメインと軽鎖の可変ドメインとを含む抗体
から選択される請求項１に記載の抗ヒトニューロピリン-2抗体。
【請求項３】
請求項１又は２に記載の抗体の重鎖のCDR3と軽鎖のCDR3とを少なくとも含むことを特徴とするヒトニューロピリン-2のリガンド。
【請求項４】
ITAC-B1又はITAC-B2抗体の重鎖及び軽鎖のCDR2及び/又はCDR1も含むことを特徴とする請求項３に記載のヒトニューロピリン-2のリガンド。
【請求項５】
請求項１若しくは２に記載の抗体又は請求項３若しくは４に記載のリガンドを含む抗腫瘍医薬品。
【請求項６】
ヒトニューロピリン-2を発現する腫瘍細胞のアポトーシスを、該細胞のp53発現を増加させることにより誘導することを特徴とする請求項５に記載の医薬品。
【手続補正書】
【提出日】平成24年7月10日(2012.7.10)
【手続補正１】
【補正対象書類名】特許請求の範囲
【補正対象項目名】全文
【補正方法】変更
【補正の内容】
【特許請求の範囲】
【請求項１】
ローラーミルであって、
ａ．ミル軸を中心に回転するように配置される粉砕テーブル（１）と、
ｂ．粉砕ローラー軸（３）を中心に回転することができると共に、前記粉砕テーブルと転がり係合する少なくとも１つの粉砕ローラー（２）と、
ｃ．前記粉砕ローラー（２）を保持すると共に旋回軸（５）を有する少なくとも１つの旋回レバー（４）であって、前記旋回軸は、前記粉砕ローラー軸（３）と平行に又は該粉砕ローラー軸（３）に対して傾いて配置される、少なくとも１つの旋回レバー（４）と、
ｄ．固定して配置され、該ローラーミルを駆動する少なくとも１つのモーター（８）と、
を有し、固定して配置される前記モーター（８）は、前記駆動力を伝達するように駆動系を介して前記粉砕ローラー（２）に接続されており、前記駆動系は、固定されている固定駆動系と、前記旋回レバー（４）と共に可動でもある可動駆動系とを含み、前記固定駆動系は、前記可動駆動系と接触すると共に、前記旋回レバー（４）の前記旋回軸（５）に対して同軸上に配置される駆動要素を有することを特徴とする、ローラーミル。
【請求項２】
前記可動駆動系は、前記粉砕ローラー（２）に接続されている歯付きリング（１２）を有することを特徴とする、請求項１に記載のローラーミル。
【請求項３】
前記駆動要素（９）は前記歯付きリング（１２）と係合することを特徴とする、請求項２に記載のローラーミル。
【請求項４】
前記駆動要素（９）は、少なくとも１つの中間歯車（１３）を介して前記歯付きリング（１２）と動作接続することを特徴とする、請求項３に記載のローラーミル。
【請求項５】
前記中間歯車（１３）は前記旋回レバー（４）に保持されることを特徴とする、請求項４に記載のローラーミル。
【請求項６】
前記駆動要素（９）及び／又は前記可動駆動系の要素は旋回運動するように保持されることを特徴とする、請求項１に記載のローラーミル。
【請求項７】
前記駆動要素（９）は、前記固定駆動系と前記可動駆動系との間に設けられる牽引機構の駆動歯車であることを特徴とする、請求項１に記載のローラーミル。
【請求項８】
前記旋回レバー（４）の前記旋回軸（５）は、前記粉砕テーブル（１）の回転方向（１４）に前記粉砕ローラー軸（３）の下流に配置されることを特徴とする、請求項１に記載のローラーミル。
【請求項９】
前記ローラーミルは、前記粉砕ローラー（２）の押圧圧力を調整するために前記旋回レバー（４）と動作接触する少なくとも１つの押圧システム（６）をさらに備えることを特徴とする、請求項１に記載のローラーミル。
【請求項１０】
前記ローラーミルはミルハウジング（７）を有し、前記旋回レバー（４）は該ミルハウジング（７）の外側に配置されることを特徴とする、請求項１に記載のローラーミル。
【請求項１１】
前記粉砕テーブル（１）は、前記粉砕ローラー（２）に加えて個々の駆動装置も有することを特徴とする、請求項１に記載のローラーミル。
【請求項１２】
ローラーミルであって、
ａ．ミル軸を中心に回転するように配置される粉砕テーブル（１）と、
ｂ．粉砕ローラー軸（３）を中心に回転することができると共に、前記粉砕テーブル（１）と転がり係合する少なくとも１つの粉砕ローラー（２）と、
ｃ．前記粉砕ローラー（２）を保持すると共に旋回軸（５）を有する少なくとも１つの旋回レバー（４）であって、前記旋回軸は、前記粉砕ローラー軸（３）と平行に又は該粉砕ローラー軸（３）に対して傾いて配置される、少なくとも１つの旋回レバー（４）と、
ｄ．固定して配置され、該ローラーミルを駆動する少なくとも１つのモーター（８）と、
を有し、固定して配置される前記モーター（８）は、前記駆動力を伝達するように駆動系を介して前記粉砕ローラーに接続されており、前記駆動系は、固定されている固定駆動系と、前記旋回レバーと共に可動である可動駆動系とを含み、２つの該駆動系は、２つのかさ歯車（１６、１７）を介して互いに接続されており、該かさ歯車は、該かさ歯車の軸が前記旋回軸（５）において交わるように配置されることを特徴とする、ローラーミル。
【請求項１３】
前記駆動要素及び／又は前記可動駆動系の要素は旋回運動するように保持されることを特徴とする、請求項１２に記載のローラーミル。
【請求項１４】
前記旋回レバー（４）の前記旋回軸（５）は、前記粉砕テーブル（１）の回転方向に前記粉砕ローラー軸（３）の下流に配置されることを特徴とする、請求項１２に記載のローラーミル。
【請求項１５】
前記ローラーミルはミルハウジング（７）を有し、前記旋回レバー（４）は該ミルハウジング（７）の外側に配置されることを特徴とする、請求項１２に記載のローラーミル。
【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
ローラーミルであって、
ａ．回転可能な粉砕テーブル（１）と、
ｂ．旋回レバー（２）に回転可能に保持されると共に、前記粉砕テーブル（１）と転がり係合する少なくとも１つの粉砕ローラー（３）であって、前記旋回レバー（２）は、旋回レバー軸（６）を中心に旋回可能である、少なくとも１つの粉砕ローラー（３）と、
ｃ．前記粉砕ローラー（３）に接続されており、固定モ−ター（４）及び固定ギア機構（１４）を有する少なくとも１つの駆動系と、
を有し、前記駆動系は、前記旋回レバー（２）及び／又は前記粉砕ローラー（３）と共に旋回する旋回ギア機構（１５、１５’）をさらに有することを特徴とする、ローラーミル。
【請求項２】
前記旋回ギア機構（１５）は、エピサイクリックギアシステムの形態であることを特徴とする、請求項１に記載のローラーミル。
【請求項３】
前記旋回ギア機構（１５）は、トルク分割部を有するギア機構の形態であることを特徴とする、請求項１に記載のローラーミル。
【請求項４】
前記旋回ギア機構（１５）は、プラネットギアシステムの形態であることを特徴とする、請求項１に記載のローラーミル。
【請求項５】
前記旋回ギア機構（１５）は、前記粉砕ローラー（３）に固定されることを特徴とする、請求項２に記載のローラーミル。
【請求項６】
前記固定ギア機構（１４）と前記旋回ギア機構（１５、１５’）は角度調整可能なカップリング（１２）を介して互いに接続されていることを特徴とする、請求項１に記載のローラーミル。
【請求項７】
前記固定ギア機構（１４）と前記旋回ギア機構（１５、１５’）は半径方向軸方向に調整可能なシャフト（１６）を介して互いに接続されていることを特徴とする、請求項１に記載のローラーミル。
【請求項８】
前記旋回レバー（２）は、前記固定ギア機構（１４）と前記旋回ギア機構（１５）との間の軸受（５）に配置され、前記角度調整可能なカップリング（１２）は該軸受（５）の領域に設けられることを特徴とする、請求項６に記載のローラーミル。
【請求項９】
前記旋回レバー（２）は軸受（５）に配置され、前記旋回ギア機構（１５、１５’）は前記駆動系において前記軸受（５）の上流又は下流に配置されることを特徴とする、請求項１に記載のローラーミル。
【請求項１０】
前記旋回レバー（２）は、中空シャフトの形態であり、前記駆動系の一部が該中空シャフト内に配置されることを特徴とする、請求項１に記載のローラーミル。
【請求項１１】
前記駆動系は、前記旋回レバー軸（６）又はその延長部に配置され、前記旋回レバー（２）の旋回運動を補償するカップリング（１２）を有することを特徴とする、請求項１に記載のローラーミル。
【請求項１２】
前記カップリング（１２）は湾曲したツースカップリングの形態であることを特徴とする、請求項１１に記載のローラーミル。
【請求項１３】
前記シャフト（１６）はカルダンシャフトの形態であることを特徴とする、請求項１１に記載のローラーミル。
【請求項１４】
前記旋回レバー（２）は、ミルハウジング（７）を通って延び、前記粉砕ローラー（３）は前記ミルハウジング内にある前記旋回レバー（２）の端部に保持され、他方の端部は前記ミルハウジング（７）の外側にある軸受（５）に配置されることを特徴とする、請求項１に記載のローラーミル。
【請求項１５】
前記旋回レバー（２）と動作接触する押圧システム（８）が、前記粉砕ローラー（３）の押圧圧力を調整するために設けられることを特徴とする、請求項１に記載のローラーミル。
【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
少なくとも１本の歯の周囲の歯槽骨の頬面に堅く嵌り、少なくとも１つの歯周骨欠損部の少なくとも一部分を再構成するサイズおよび形状の第１の適合骨移植片と；
少なくとも１本の歯の周囲の歯槽骨の舌側／口蓋面に堅く嵌り、少なくとも１つの歯周骨欠損部の少なくとも更なる一部分を再構成するサイズおよび形状の第２の適合骨移植片とを具える歯科用骨インプラントであって、
前記一部分と別の前記一部分が前記少なくとも１つの歯周骨を相補的に覆うことを特徴とする歯科用骨インプラント。
【請求項２】
請求項１に記載の歯科用骨インプラントにおいて、前記第１の適合骨移植片が第１の歯槽を完全に再構成するサイズおよび形状の第１の延長部を有し、前記第２の適合骨移植片が第２の歯槽を完全に再構成するサイズおよび形状の第２の延長部を有することを特徴とする歯科用骨インプラント。
【請求項３】
請求項２に記載の歯科用骨インプラントにおいて、前記第１および第２の歯槽が、前記少なくとも１本の共通の歯の異なる側に配置されることを特徴とする歯科用骨インプラント。
【請求項４】
請求項２に記載の歯科用骨インプラントにおいて、前記第１および第２の延長部の少なくとも一方が、歯科用インプラント用の少なくとも１つの基礎要素を有することを特徴とする歯科用骨インプラント。
【請求項５】
請求項１に記載の歯科用骨インプラントにおいて、前記第１および第２の適合骨移植片の少なくとも一方が、前記歯槽骨の成長により生じた本来の歯と完全に交換されるまで、前記歯槽骨の上部に移植されるよう構成されることを特徴とする歯科用骨インプラント。
【請求項６】
請求項１に記載の歯科用骨インプラントにおいて、前記少なくとも１本の歯が複数の歯を構成しており、前記第１および第２の適合骨移植片の少なくとも一方が前記複数の歯の間の歯間表面に堅く嵌るサイズおよび形状であることを特徴とする歯科用骨インプラント。
【請求項７】
請求項１に記載の歯科用骨インプラントにおいて、前記第１および第２の適合骨移植片の少なくとも一方が、前記歯槽骨の３次元モデルによって規定された構造を有することを特徴とする歯科用骨インプラント。
【請求項８】
請求項１に記載の歯科用骨インプラントにおいて、前記第１および第２の適合骨移植片の少なくとも一方が、遮断膜および歯肉組織の成長促進膜の少なくとも一方で少なくとも部分的にコーティングされることを特徴とする歯科用骨インプラント。
【請求項９】
請求項１に記載の歯科用骨インプラントにおいて、前記第１および第２の適合骨移植片の少なくとも一方が、前記適合骨移植片を固定する穿孔位置および歯科用インプラントを設ける穿孔位置の少なくとも一方を示す少なくとも１つの外科的なガイド要素を有することを特徴とする歯科用骨インプラント。
【請求項１０】
請求項１に記載の歯科用骨インプラントにおいて、前記第１および第２の適合骨移植片の少なくとも一方が、少なくとも１つの歯科用インプラントを支持する少なくとも１つの基礎要素を有することを特徴とする歯科用骨インプラント。
【請求項１１】
請求項１に記載の歯科用骨インプラントにおいて、前記第１および第２の適合骨移植片の少なくとも一方が、少なくとも１つの歯槽を再構成するサイズおよび形状であることを特徴とする歯科用骨インプラント。
【請求項１２】
請求項１に記載の歯科用骨インプラントにおいて、前記第１および第２の適合骨移植片の少なくとも一方が、歯肉の再生物質を具えることを特徴とする歯科用骨インプラント。
【請求項１３】
請求項１２に記載の歯科用骨インプラントにおいて、前記歯肉の再生物質が、促進再生物質と制限再生物質からなるグループから選択されることを特徴とする歯科用骨インプラント。
【請求項１４】
請求項１に記載の歯科用骨インプラントにおいて、前記第１および第２の適合骨移植片の少なくとも一方が、垂直方向を増強する形状をしていることを特徴とする歯科用骨インプラント。
【請求項１５】
少なくとも１本の歯の周囲の歯槽骨の頬面および舌側／口蓋面の少なくとも一方に堅く嵌り、少なくとも１つの歯周骨欠損部の少なくとも一部分を再構成するサイズおよび形状の適合骨移植片を具える歯科用骨インプラントであって；
前記適合骨移植片が、患者の前記歯槽骨と歯肉組織の間に少なくとも一週間固定されるように構成されることを特徴とする歯科用骨インプラント。
【請求項１６】
請求項１５に記載の歯科用骨インプラントがさらに、前記少なくとも１本の歯の周囲の前記頬面および前記舌側／口蓋面の他方の近くに嵌り、少なくとも１つの歯周骨欠損部の別の部分を再構成するサイズおよび形状の更なる適合骨移植片を具えることを特徴とする歯科用骨インプラント。
【請求項１７】
請求項１６に記載の歯科用骨インプラントにおいて、前記一部分と前記別の部分が、前記少なくとも１つの歯周骨を相補的に覆うことを特徴とする歯科用骨インプラント。
【請求項１８】
請求項１５に記載の歯科用骨インプラントにおいて、前記適合骨移植片が、前記少なくとも１本の歯の近傍の少なくとも１つの歯槽を完全に再構成するサイズおよび形状の延長部を有することを特徴とする歯科用骨インプラント。
【請求項１９】
請求項１８に記載の歯科用骨インプラントにおいて、前記延長部が、歯科用インプラント用の少なくとも１つの基礎要素を有することを特徴とする歯科用骨インプラント。
【請求項２０】
歯槽骨の表面に堅く嵌り、少なくとも１つの歯周骨欠損部の少なくとも一部分を再構成するサイズおよび形状の適合骨移植片と；
当該適合骨移植片に歯を移植する位置および前記適合骨移植片を前記歯槽骨に固定する穿孔位置の少なくとも一方をそれぞれ示す、少なくとも１つの外科的なガイド要素とを具える歯科用骨インプラントであって；
前記適合骨移植片が、患者の前記歯槽骨の表面と歯肉組織の間に少なくとも一週間は移植されているよう構成されることを特徴とする歯科用骨インプラント。
【請求項２１】
少なくとも１つの歯周骨欠損部を再構成し、歯槽骨の無歯表面に堅く嵌るサイズおよび形状の少なくとも１つの骨移植片であって、少なくとも１つの歯科用インプラント用の複数の基礎要素を有する少なくとも１つの骨移植片を具える歯科用骨インプラントにおいて；
前記少なくとも１つの骨移植片が、患者の前記無歯表面と歯肉組織との間に少なくとも一週間は移植されているよう構成されることを特徴とする歯科用骨インプラント。
【請求項２２】
請求項２１に記載の歯科用骨インプラントにおいて、前記少なくとも１つの骨移植片が、前記歯槽骨の成長により生じる本来の骨と完全に交換されるまで、前記歯槽骨の上部に移植されるよう構成されることを特徴とする歯科用骨インプラント。
【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
１回以上薬物を患者の気道へ送達するための患者インタフェース部を持つ、薬物のソースを保持するためのハウジングと、起動信号に応答して、一つ以上の可聴指示を生成する、前記ハウジングに結合された音声生成器とを有し、前記起動信号は、患者により実施される手動動作に応答して生成され、前記手動動作は、薬物の前記ソースが前記ハウジングにより保持されるようにすることを有する、呼吸器系薬物送達装置。
【請求項２】
前記音声生成器が手動アクチュエータと動作的に結合され、前記手動動作が前記手動アクチュエータの手動動作を有する、請求項１に記載の呼吸器系薬物送達装置。
【請求項３】
前記手動アクチュエータがボタンであり、前記手動動作が前記ボタンを押すことを有する、請求項２に記載の呼吸器系薬物送達装置。
【請求項４】
薬物の前記ソースは、前記ハウジング内に少なくとも部分的に挿入され、薬物の前記ソースが前記ハウジングにより保持されるようにすることは、前記ハウジング内に少なくとも部分的に薬物の前記ソースを挿入することを有する、請求項１に記載の呼吸器系薬物送達装置。
【請求項５】
薬物の前記ソースが前記ハウジングにより保持されるようにされたことを検知するための手段を更に有し、当該検知に応答して、前記起動信号が生成される、請求項１に記載の呼吸器系薬物送達装置。
【請求項６】
前記一つ以上の可聴指示が、前記呼吸器系薬物送達装置の適当な使用のための可聴指示のセットを有する、請求項１に記載の呼吸器系薬物送達装置。
【請求項７】
前記呼吸器系薬物送達装置がＭＤＩであり、前記ハウジングは容器ホルダを有し、前記患者インタフェース部が前記容器ホルダのアウトレットであり、薬物の前記ソースが前記薬物を保持する容器であり、可聴指示の前記セットが前記ＭＤＩを振ること、前記ＭＤＩを作動させること、吸い込むこと、及び息を止めることに関係する指示を含む、請求項６に記載の呼吸器系薬物送達装置。
【請求項８】
可聴指示の前記セットが患者に前記ＭＤＩを振ることを指示する指示、患者に前記ＭＤＩを作動させることを指示する指示、患者にゆっくり吸い込むことを指示する指示、及び患者に既定の時間息を止めることを指示する指示を含む、請求項７に記載の呼吸器系薬物送達装置。
【請求項９】
前記呼吸器系薬物送達装置がバルブ付き保持チャンバを有し、前記患者インタフェース部がマウスピースであり、薬物の前記ソースがＭＤＩであり、可聴指示の前記セットが前記ＭＤＩを振ること、前記ＭＤＩを作動させること、吸い込むこと、及び息を止めることに関係する指示を含む、請求項６に記載の呼吸器系薬物送達装置。
【請求項１０】
可聴指示の前記セットが患者に前記ＭＤＩを振ることを指示する指示、患者に前記ＭＤＩを作動させることを指示する指示、患者にゆっくり吸い込むことを指示する指示、及び患者に既定の時間息を止めることを指示する指示を含む、請求項９に記載の呼吸器系薬物送達装置。
【請求項１１】
前記ハウジングがチャンバハウジングと、前記ＭＤＩを受けて保持するため前記チャンバハウジングの第１の端部に取り付けられたエンドキャップと、第１の端部と反対側の前記チャンバハウジングの第２の端部に取り付けられた前記マウスピースを含むマウスピースアセンブリとを含む、請求項９に記載の呼吸器系薬物送達装置。
【請求項１２】
前記呼吸器系薬物送達装置がバルブ付き保持チャンバを有し、前記患者インタフェース部がマウスピースであり、薬物の前記ソースがＭＤＩであり、可聴指示の前記セットが前記ＭＤＩを振ること、前記ＭＤＩを作動させること、及び特定の回数の呼吸をカウントすることに関係する指示を含む、請求項６に記載の呼吸器系薬物送達装置。
【請求項１３】
前記呼吸器系薬物送達装置がバルブ付き保持チャンバを有し、前記患者インタフェース部がマウスピースであり、薬物の前記ソースがＭＤＩであり、可聴指示の前記セットが前記ＭＤＩを振ること、前記ＭＤＩを作動させること、特定の時間吸い込むことに関係する指示を含む、請求項６に記載の呼吸器系薬物送達装置。
【手続補正書】
【提出日】平成24年8月17日(2012.8.17)
【手続補正１】
【補正対象書類名】特許請求の範囲
【補正対象項目名】全文
【補正方法】変更
【補正の内容】
【特許請求の範囲】
【請求項１】
凹版印刷されたセキュリティ印刷物、特に凹版印刷による紙幣にニス引き加工処理を行なう方法であって、前記セキュリティ印刷物の両面を保護ニスで被覆するもので、最後に凹版印刷された前記セキュリティ印刷物の面とは反対側の面に、より厚い保護ニス層を塗布する工程を含むことを特徴とする方法。
【請求項２】
印刷済みのセキュリティ印刷物、特に紙幣にニス引き加工処理を行なう方法であって、前記セキュリティ印刷物の両面が保護ニスで被覆され、前記セキュリティ印刷物の第１面が、第２面の表面粗さよりも少なくとも１０ミクロンだけ大きい表面粗さを示すもので、前記セキュリティ印刷物の前記第１面に、より厚い保護ニス層を塗布する工程を含む方法。
【請求項３】
前記セキュリティ印刷物が、製造プロセスによって前記セキュリティ印刷物の前記第１面が前記第２面よりも大きい表面粗さを示す基材に印刷される、請求項２に記載の方法。
【請求項４】
前記より厚い保護ニス層を、１回の工程で、前記セキュリティ印刷物の前記面に塗布する、請求項１ないし３のいずれか一項に記載の方法。
【請求項５】
前記より厚い保護ニス層を、２回以上の工程で、前記セキュリティ印刷物の前記面に塗布する、請求項１ないし３のいずれか一項に記載の方法。
【請求項６】
前記セキュリティ印刷物の両面が、ニス引き処理を施した後に略同じ表面粗さを示すように、前記セキュリティ印刷物の両面にニス引き処理を施す、請求項１ないし３のいずれか一項に記載の方法。
【請求項７】
前記保護ニスを塗布する前に、前記セキュリティ印刷物の少なくとも一方の面にプライマーを塗布する工程を含む、請求項１ないし３のいずれか一項に記載の方法。
【請求項８】
印刷済みのセキュリティ印刷物、特に紙幣のような凹版印刷されたセキュリティ印刷物の両面に、ニス引き処理を施すニス引き機であって、前記ニス引き機が、前記セキュリティ印刷物の一方の面に、他方の面よりも厚く保護ニス層を塗布するように構成されている、ニス引き機。
【請求項９】
前記セキュリティ印刷物の第１面に、１回の工程でニス引き処理を施す第１コーティングユニット（２１、２２、２３）と、前記セキュリティ印刷物の第２面に、１回の工程でニス引き処理を施す第２コーティングユニット（４１、４２、４３）とを備え、前記第１または第２コーティングユニット（２１、２２、２３；４１、４２、４３）が、他方のコーティングユニットよりも厚く保護ニスを塗布するように設計されている、請求項８に記載のニス引き機。
【請求項１０】
前記セキュリティ印刷物の第１面にニス引き処理を施す第１コーティングユニット（２１、２２、２３）と、前記セキュリティ印刷物の第２面にニス引き処理を施す第２コーティングユニット（４１、４２、４３）とを備え、前記ニス引き機が更に、追加保護ニス層またはプライマーを前記セキュリティ印刷物の前記第１面または第２面に塗布する少なくとも第３コーティングユニット（７１、７２、７３）を備えている、請求項８に記載のニス引き機。
【請求項１１】
フレキソ印刷によりニス引き処理を施す、請求項８ないし１０のいずれか一項に記載のニス引き機。
【請求項１２】
各コーティングユニット（２１、２２、２３；４１、４２、４３；７１、７２、７３）が、フレキソ版胴（２３；４３；７３）と協働するアニロックスローラ（２２；４２；７２）を含んでいる、請求項１１に記載のニス引き機。
【請求項１３】
最終的に前記セキュリティ印刷物を形成するセキュリティ証印の付いた連続シートにニスを塗布するように設計されている、請求項８ないし１０のいずれか一項に記載のニス引き機。
【手続補正書】
【提出日】平成24年8月16日(2012.8.16)
【手続補正１】
【補正対象書類名】特許請求の範囲
【補正対象項目名】全文
【補正方法】変更
【補正の内容】
【特許請求の範囲】
【請求項１】
（ａ）複数のハニカムセルを画定する表面を有する複数の相互接続された壁であって、少なくとも２００グラム／デニール（１８０グラム／デシテックス）のモジュラスおよび少なくとも１０グラム／デニール（９グラム／デシテックス）の靭性を有する繊維を含む不織シートから形成される壁と、
（ｂ）硬化樹脂および不織シートの合わせた重量の百分率としての硬化樹脂の重量が少なくとも６２パーセントであるような量の硬化樹脂と
を含むハニカムコア構造であって、樹脂による含浸の前に、
（１）前記不織シートが、式Ｄｐ＝Ｋ×（（ｄｒ×（１００−％ｒ）／％ｒ）／（１＋ｄｒ／ｄｓ×（１００−％ｒ）／％ｒ）（式中、Ｄｐは含浸前の前記不織シートの見掛け密度であり、ｄｒは前記硬化樹脂の密度であり、ｄｓは含浸前の前記不織シート中の固体材料の密度であり、％ｒは、最終コア構造中の重量％単位での前記硬化樹脂含量であり、Ｋは１．０〜１．３５の値を有する数である）から計算される見掛け密度を有し、
（２）前記不織シートが、３０秒／１００ミリリットル以下のＧｕｒｌｅｙ多孔度を有する
ハニカムコア構造。
【手続補正２】
【補正対象書類名】明細書
【補正対象項目名】００５２
【補正方法】変更
【補正の内容】
【００５２】
表１の要約から分かるように、本発明に従って見掛け密度およびハニカムセル壁内の樹脂浸透について最適化された不織シートを有する実施例１のハニカムコア構造は、比較例１の従来技術からのハニカムコア構造と比較して、３５パーセント高いベアな比圧縮強度を有した。このことによって、ハニカムコア構造を製造するために使用される不織シートの密度および不織シート内に含浸される樹脂含量の両方の最適化は、圧縮強度の著しい改善をもたらすことが確認される。
本発明の好ましい態様を示す。
１．（ａ）複数のハニカムセルを画定する表面を有する複数の相互接続された壁であって、少なくとも２００グラム／デニール（１８０グラム／デシテックス）のモジュラスおよび少なくとも１０グラム／デニール（９グラム／デシテックス）の靭性を有する繊維を含む不織シートから形成される壁と、
（ｂ）硬化樹脂および不織シートの合わせた重量の百分率としての硬化樹脂の重量が少なくとも６２パーセントであるような量の硬化樹脂と
を含むハニカムコア構造であって、樹脂による含浸の前に、
（１）前記不織シートが、式Ｄｐ＝Ｋ×（（ｄｒ×（１００−％ｒ）／％ｒ）／（１＋ｄｒ／ｄｓ×（１００−％ｒ）／％ｒ）（式中、Ｄｐは含浸前の前記不織シートの見掛け密度であり、ｄｒは前記硬化樹脂の密度であり、ｄｓは含浸前の前記不織シート中の固体材料の密度であり、％ｒは、最終コア構造中の重量％単位での前記硬化樹脂含量であり、Ｋは１．０〜１．３５の値を有する数である）から計算される見掛け密度を有し、
（２）前記不織シートが、３０秒／１００ミリリットル以下のＧｕｒｌｅｙ多孔度を有する
ハニカムコア構造。
２．前記不織シートが、７０〜１００重量％の繊維および０〜３０重量％のバインダーを含む上記１に記載のコア構造。
３．前記不織シートが、湿式不織シートである上記２に記載のコア構造。
４．前記バインダーが、ｍ−アラミドフィブリッドを含む上記２に記載のコア構造。
５．前記繊維が、ｐ−アラミド繊維を含む上記２に記載のコア構造。
６．上記１〜５のいずれかに記載のコア構造と、前記コア構造の少なくとも１つの外部表面に取り付けられた少なくとも１つのフェースシートとを含む複合パネル。
７．前記フェースシートが、樹脂が含浸された繊維、プラスチックまたは金属から製造される上記６に記載の構造パネル。
【手続補正書】
【提出日】平成24年8月23日(2012.8.23)
【手続補正１】
【補正対象書類名】特許請求の範囲
【補正対象項目名】全文
【補正方法】変更
【補正の内容】
【特許請求の範囲】
【請求項１】
実質的に非晶質のタキサン、親水性担体及び界面活性剤を含む経口投与のための固体医薬組成物であって、前記タキサン、前記担体及び前記界面活性剤が固体分散体の形態にあるものであり、該固体分散体がスプレードライ法により調製されるものである、前記固体医薬組成物。
【請求項２】
前記タキサンが、ドセタキセル、パクリタキセル、ＢＭＳ−２７５１８３、及びそれらの機能的誘導体、並びにそれらの医薬上許容される塩若しくはエステルから選択されるものであり、好ましくは、ドセタキセル、パクリタキセル、及びそれらの機能的誘導体、並びにそれらの医薬上許容される塩若しくはエステルから選択されるものである、請求項１に記載の組成物。
【請求項３】
前記担体が、ポリマー性のものである、請求項１又は２に記載の組成物。
【請求項４】
前記担体が、ＰＶＰ、ＰＶＰ−ＶＡ及びＰＥＧから選択されるものである、請求項１から３のいずれか一項に記載の組成物。
【請求項５】
前記担体が、ＰＶＰであり、好ましくは、該ＰＶＰが、１）ＰＶＰ−Ｋ１２、ＰＶＰ−Ｋ１５、ＰＶＰ−Ｋ１７、ＰＶＰ−Ｋ２５、ＰＶＰ−Ｋ３０、ＰＶＰ−Ｋ６０及びＰＶＰ−Ｋ９０から選択されるものであるか、又は、２）ＰＶＰ−Ｋ３０、ＰＶＰ−Ｋ６０及びＰＶＰ−Ｋ９０から選択されるものである、請求項１から４のいずれか一項に記載の組成物。
【請求項６】
前記界面活性剤が、１）ナトリウムドデシルスルフェート（ＳＤＳ）、ソルビタンエステル類（ソルビタン脂肪酸エステル類）、ポリオキシエチレンステアレート類、ポリオキシエチレンソルビタン脂肪酸エステル類、ポリオキシエチレンヒマシ油誘導体、ポリオキシエチレンアルキルエーテル類、ポロキサマー、グリセリルモノオレエート、ドキュセートナトリウム、セトリミド、ベンジルベンゾエート、ベンザアルコニウムクロライド、ベンゼトニウムクロライド、ヒプロメロース、非イオン性乳化ろう、アニオン性乳化ろう及びトリエチルシトレートから選択されるものあるか、２）ＳＤＳ、ソルビタンエステル類（ソルビタン脂肪酸エステル）、ポリオキシエチレンソルビタン脂肪酸エステル及びＣＰＣから選択されるものであるか、又は、３）ＳＤＳである、請求項１から５のいずれか一項に記載の組成物。
【請求項７】
担体に対する前記タキサンの重量比が、約０．０１：９９．９９（ｗ／ｗ）〜約７５：２５（ｗ／ｗ）であり、好ましくは、約０．０１：９９．９９（ｗ／ｗ）〜約３０：７０（ｗ／ｗ）である、請求項１から６のいずれか一項に記載の組成物。
【請求項８】
組み合わされたタキサン及び担体に対する界面活性剤の重量比が、約１：９９（ｗ／ｗ）〜約５０：５０（ｗ／ｗ）であり、好ましくは、約２：９８（ｗ／ｗ）〜約１７：８３（ｗ／ｗ）である、請求項１から７のいずれか一項に記載の組成物。
【請求項９】
１つ又はそれ以上の追加の医薬上活性な成分をさらに含む、請求項１から８のいずれか一項に記載の組成物。
【請求項１０】
１つ又はそれ以上の追加の医薬上活性な成分が、ＣＹＰ３Ａ４阻害剤であり、好ましくは、該ＣＹＰ３Ａ４阻害剤がリトナビルである、請求項９に記載の組成物。
【請求項１１】
前記タキサン、前記担体、前記界面活性剤及び前記１つ又はそれ以上の追加の医薬上活性な成分が、固体分散体の形態にあるものである、請求項９又は１０に記載の組成物。
【請求項１２】
前記固体分散体が、スプレードライ法により調製されるものである、請求項１１に記載の組成物。
【請求項１３】
治療に使用するための請求項１から１２のいずれか一項に記載の組成物。
【請求項１４】
腫瘍性疾患の治療のための薬剤の調製における請求項１から１２のいずれか一項に記載の組成物の使用。
【請求項１５】
スプレードライ法を使用して、非晶質タキサン、親水性担体及び界面活性剤を含む固体分散体を調製する工程を含む、請求項１に記載の組成物の調製方法。
【手続補正書】
【提出日】平成24年8月14日(2012.8.14)
【手続補正１】
【補正対象書類名】特許請求の範囲
【補正対象項目名】全文
【補正方法】変更
【補正の内容】
【特許請求の範囲】
【請求項１】
摂取可能な粒子状組成物であって、
（ａ）２，４−ジクロロベンジルアルコール、アミルメタクレゾール、セチルピリジニウムクロリド、ヘキシチジン、ヘキシルレゾルシノール、フルルビプロフェン、リドカイン、ベンゾカイン、イブプロフェン、パラセタモール、ペクチン、メントール及びベンジダミンから成る群から選択される少なくとも１種の化合物と、
（ｂ）１種以上の生体接着性材料と、
を含むことを特徴とする組成物。
【請求項２】
前記組成物が、流動性粒子である、請求項１に記載の組成物。
【請求項３】
前記少なくとも１種の医薬活性化合物が、２，４−ジクロロベンジルアルコール、アミルメタクレゾール、ヘキシルレゾルシノール及びフルルビプロフェンから成る群から選択される、請求項１又は２に記載の組成物。
【請求項４】
前記少なくとも１種の医薬活性化合物がフルルビプロフェンである、請求項３に記載の組成物。
【請求項５】
前記組成物が、重炭酸塩及び／又は有機酸を含む、請求項１〜４のいずれか１項に記載の組成物。
【請求項６】
前記重炭酸塩が、重炭酸ナトリウムであり、前記有機酸が、クエン酸である、請求項５に記載の組成物。
【請求項７】
前記１種以上の生体接着性材料が、最高数百万ダルトンまでの高分子量を有するポリマー又はオリゴマー化合物である、請求項１〜６のいずれか１項に記載の組成物。
【請求項８】
前記組成物が、流動性改善剤と共に提供される、請求項１〜７のいずれか１項に記載の組成物。
【請求項９】
請求項１〜８のいずれか１項に記載の組成物を含む、咽頭痛の治療のための医薬組成物。
【請求項１０】
請求項１〜８のいずれかに記載の組成物の１回量を収容する個包装の投薬形態であって、前記組成物を必然的に口内の狭い領域上に置くターゲットアウトレットパックであることを特徴とする個包装の投薬形態。
【請求項１１】
スティック形態の小袋である、請求項１０に記載の個包装の投薬形態。
【請求項１２】
投薬計量手段又は投薬情報と共に請求項１〜８のいずれか１項に記載の組成物のバルク供給源を収容するバルクパック。
【請求項１３】
咽頭痛の治療のための薬物の製造における、請求項１〜８のいずれか１項に記載の組成物の使用。
【請求項１４】
２，４−ジクロロベンジルアルコール、アミルメタクレゾール、セチルピリジニウムクロリド、ヘキシチジン、ヘキシルレゾルシノール、フルルビプロフェン、リドカイン、ベンゾカイン、イブプロフェン、パラセタモール、ペクチン、メントール及びベンジダミンから成る群から選択される少なくとも１種の医薬活性化合物及び１種以上の生体接着性材料の、患者の口内に注ぎ込むのに適した粒子状組成物の製造における使用。
【請求項１５】
摂取可能な流動性粒子状組成物の１回量を収容するターゲットアウトレットパックであって、前記ターゲットアウトレットパックが、口内の狭い領域上に前記組成物を置くように適合され、前記組成物が、
（ａ）２，４−ジクロロベンジルアルコール、アミルメタクレゾール、セチルピリジニウムクロリド、ヘキシチジン、ヘキシルレゾルシノール、フルルビプロフェン、リドカイン、ベンゾカイン、イブプロフェン、パラセタモール、ペクチン、メントール及びベンジダミンから成る群から選択される少なくとも１種の医薬活性化合物と、
（ｂ）１種以上の生体接着性材料と
を含むことを特徴とするターゲットアウトレットパック。
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
グルコシルグリセロールおよび／またはグルコシルグリセロールエステルを含む、ヒトの皮膚および／または粘膜を保護および安定化するために細胞保護酵素の発現を増加させるための組成物。
【請求項２】
ヒトの皮膚および／または粘膜を酸化的ストレスから保護するために使用される請求項１記載の組成物。
【請求項３】
ヒトの皮膚および／または粘膜を反応性酸素化合物またはフリーラジカルから保護するために使用される請求項２記載の組成物。
【請求項４】
ヒトの皮膚および／または粘膜を化学物質、毒素、アレルゲン、変性物質、ＤＮＡに付着する物質およびタンパク質を損傷するまたは不活性化する物質または空中浮遊粒子から保護するために使用される請求項１または２記載の組成物。
【請求項５】
前記グルコシルグリセロールが２−Ｏ−α−Ｄ−グルコシルグリセロールであることを特徴とする請求項１から４いずれか１項記載の組成物。
【請求項６】
前記細胞保護酵素が、反応性酸素化合物を分解する酵素であることを特徴とする請求項１から５いずれか１項記載の組成物。
【請求項７】
前記酵素が、超酸化物不均化酵素、カタラーゼまたはグルタチオンペルオキシダーゼであることを特徴とする請求項６記載の組成物。
【請求項８】
前記超過酸化物がＳＯＤ−１またはＳＯＤ−２であることを特徴とする請求項７載の組成物。
【請求項９】
前記細胞保護酵素がＤＮＡ修復酵素であることを特徴とする請求項１から５いずれか１項記載の組成物。
【請求項１０】
前記細胞保護酵素がシャペロンであることを特徴とする請求項１から５いずれか１項記載の組成物。
【請求項１１】
前記グルコシルグリセロールが水溶液中に提供されることを特徴とする請求項１から１０いずれか１項記載の組成物。
【請求項１２】
前記グルコシルグリセロールの濃度が０．００１質量％と１０質量％の間の範囲であることを特徴とする請求項１から１１いずれか１項記載の組成物。
【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
化粧用粒子組成物であって、
少なくとも部分的に水素添加された１種または複数種のトリグリセリド油を含み、その少なくとも５０％が、炭素鎖長がＣ１８を超える脂肪酸部分を少なくとも１５重量％有し、前記化粧用粒子組成物は、局所用製剤に組み込むと軟質化粧用粒子に変化する硬質化粧用粒子を形成するように適合される化粧用粒子組成物。
【請求項２】
前記少なくとも部分的に水素添加された１種または複数種のトリグリセリド油が、前記化粧用粒子組成物の約７０重量％〜約１００重量％の量で存在する、請求項１に記載の化粧用粒子組成物。
【請求項３】
前記化粧用粒子組成物の約３０重量％以下の量で少なくとも１種の添加剤をさらに含む、請求項２に記載の化粧用粒子組成物。
【請求項４】
前記少なくとも部分的に水素添加された１種または複数種のトリグリセリド油が前記化粧用粒子組成物の約８０重量％の量で存在し、前記少なくとも１種の添加剤が前記化粧用粒子組成物の約２０重量％の量で存在する、請求項３に記載の化粧用粒子組成物。
【請求項５】
前記少なくとも部分的に水素添加された１種または複数種のトリグリセリド油が、リムナンテス・アルバ（メドウフォーム）、カメリナ・サティバ（カメリナ）、クランベ・アビシニカ（クランベ）、トロパエオルム属、高エルカ酸ナタネ（ＨＥＡＲ）、エルカ属、ルナリア属および大部分のアブラナ科ならびにこれらの組み合わせに由来する、少なくとも部分的に水素添加されたトリグリセリド種油からなる群から選択される、請求項１に記載の化粧用粒子組成物。
【請求項６】
前記少なくとも部分的に水素添加された１種または複数種のトリグリセリド油が、完全に水素添加されたカメリナ・サティバ（Camelina sativa）トリグリセリド種油を含む、請求項５に記載の化粧用粒子組成物。
【請求項７】
コペルニシア・セリフェラ（Copernicia cerifera）（カルナウバ）ロウおよび水素添加ホホバ油をさらに含む、請求項６に記載の化粧用粒子組成物。
【請求項８】
前記完全に水素添加されたカメリナ・サティバ（Camelina sativa）トリグリセリド油が前記化粧用粒子組成物の約９８重量％を構成し、約１重量％のコペルニシア・セリフェラ（カルナウバ）ロウおよび約１重量％の水素添加ホホバ油を含む、請求項７に記載の化粧用粒子組成物。
【請求項９】
前記局所用製剤が界面活性剤ベースの局所用製剤を含む、請求項１に記載の化粧用粒子組成物。
【請求項１０】
化粧用粒子組成物であって、
少なくとも部分的に水素添加された１種または複数種のトリグリセリド油（その少なくとも５０％は、炭素鎖がＣ１８を超える脂肪酸部分を少なくとも１５重量％有する）からなる硬質化粧用粒子；および
前記硬質化粧用粒子中または上に配置された少なくとも１種の添加剤；
を含み、前記硬質化粧用粒子は局所用製剤に組み込むと軟質化粧用粒子に変化する化粧用粒子組成物。
【請求項１１】
前記少なくとも部分的に水素添加された１種または複数種のトリグリセリド油が前記化粧用粒子組成物の約７０％〜約１００重量％の量で存在する、請求項１０に記載の化粧用粒子組成物。
【請求項１２】
前記化粧用粒子組成物の約３０重量％以下の量で少なくとも１種の添加剤をさらに含む、請求項１１に記載の化粧用粒子組成物。
【請求項１３】
前記少なくとも部分的に水素添加された１種または複数種のトリグリセリド油が前記化粧用粒子組成物の約８０重量％の量で存在し、前記少なくとも１種の添加剤が前記化粧用粒子組成物の約２０重量％の量で存在する、請求項１２に記載の化粧用粒子組成物。
【請求項１４】
前記少なくとも部分的に水素添加された１種または複数種のトリグリセリド油が、リムナンテス・アルバ（メドウフォーム）、カメリナ・サティバ（カメリナ）、クランベ・アビシニカ（クランベ）、トロパエオルム属、高エルカ酸ナタネ（ＨＥＡＲ）、エルカ属、ルナリア属および大部分のアブラナ科ならびにこれらの組み合わせに由来する、少なくとも部分的に水素添加されたトリグリセリド種油からなる群から選択される、請求項１０に記載の化粧用粒子組成物。
【請求項１５】
前記少なくとも部分的に水素添加された１種または複数種のトリグリセリド油が、完全に水素添加されたカメリナ・サティバトリグリセリド種油を含む、請求項１４に記載の化粧用粒子組成物。
【請求項１６】
コペルニシア・セリフェラ（カルナウバ）ロウおよびホホバエステルをさらに含む、請求項１５に記載の化粧用粒子組成物。
【請求項１７】
前記完全に水素添加されたカメリナ・サティバトリグリセリド油が前記化粧用粒子組成物の約９８重量％を構成する、請求項１６に記載の化粧用粒子組成物。
【請求項１８】
化粧用組成物であって、
少なくとも部分的に水素添加された１種または複数種のトリグリセリド油（その少なくとも５０％は、炭素鎖長がＣ１８を超える脂肪酸部分を少なくとも１５重量％有する）からなる複数種の硬質化粧用粒子；および
局所用製剤；
を含み、前記硬質化粧用粒子は、前記局所用製剤に導入されると軟質化粧用粒子に変化し、標的にエモリエント性を与えるように適合される、化粧用組成物。
【請求項１９】
前記複数種の硬質化粧用粒子の少なくとも１種の粒子中または上に配置された少なくとも１種の添加剤をさらに含む、請求項１８に記載の化粧用組成物。
【請求項２０】
前記少なくとも部分的に水素添加された１種または複数種のトリグリセリド油が、完全に水素添加されたカメリナ種油を含む、請求項１８に記載の化粧用組成物。
【手続補正２】
【補正対象書類名】明細書
【補正対象項目名】００２６
【補正方法】変更
【補正の内容】
【００２６】
例示的実施形態では、局所用製剤は一般に、界面活性剤ベースの局所用製剤を含む。界面活性剤ベースの局所用製剤の非限定的な例として、ボディウォッシュ、ハンドソープ、ボディポリッシャー（body polisher）、洗顔スクラブ、シャンプーまたは同種のものを挙げることができる。界面活性剤ベースの製剤の界面活性剤としては、カルボキシレート、脂肪アルコール、グルコシド、ポロキサマー、ポリエチレングリコール、第四級アミン、サルフェート、スルホネート、トウィーンおよびベタイン、ならびに他のグリシン誘導体を挙げることができる。